(57)【特許請求の範囲】
【請求項１】
通水性濾過性シートから形成され、上端部に開口部を有する袋本体と、
袋本体の対向する２面の外表面に設けられた薄板状材料からなる掛止部材とを有するドリップバッグであって、
掛止部材が、袋本体の中央部に貼着されている中央貼着部、袋本体の開口部に沿って帯状に袋本体に貼着されている帯状貼着部、袋本体から引き起こし可能に形成されたアーム部、及び袋本体に貼着されていない掛止部を有し、
アーム部の下端が中央貼着部と連続し、アーム部の上端部が掛止部と連続し、
掛止部は、アーム部との連続部分から袋本体側縁側に延びた左右一対の引っ掛け部を有し、
各引っ掛け部は、引っ掛け部下縁のアーム部側端部から引っ掛け部上縁の袋本体側縁側端部に伸びた斜め折れ線を有するドリップバッグ。
【請求項２】
中央貼着部を形成する薄板状材料が上方に延設されて帯状貼着部と連続し、その延設部分の両側にアーム部が形成されている請求項１記載のドリップバッグ。
【請求項３】
帯状貼着部の幅が、袋本体の開口幅の４５％〜５５％である請求項１又は２記載のドリップバッグ。
【請求項４】
請求項１〜３のいずれかに記載のドリップバッグの袋本体に抽出材料が充填され、袋本体の上端部が閉じられている飲料ドリップバッグ。
【発明の詳細な説明】
【技術分野】
【０００１】
本発明は、カップ等の容器の上部に掛止することにより、容易にドリップ式でコーヒー、紅茶、緑茶、漢方薬等の抽出液を得られるようにするドリップバッグに関する。
【背景技術】
【０００２】
従来より、手軽に本格的なコーヒーを楽しむことを可能とするコーヒーの入れ方として、ペーパードリップ方式が広く普及している。このペーパードリップ方式では、通常、数杯分のコーヒーが一度に抽出される。
【０００３】
一方、近年、一人暮らしをする者が多くなり、また、核家族化や出生率の低下等により一家族の構成人数も少なくなっている。そのため、従来の数杯分のコーヒーを抽出することが基本とされているペーパードリップ方式に代えて、一杯分のコーヒーの抽出を手軽に行えるようにすることを目的とした、使い捨てのワンドリップコーヒーが種々の製品形態で市場に出回っている。
【０００４】
中でも、簡略な構成を有するものとしては、図６（ａ）に示すように、通水性濾過性シートからなる袋本体２と、袋本体２の対向する２面の外表面に貼着された紙製等の掛止部材１０とコ字形の補強片３０からなるドリップバッグ１Ｘにコーヒー粉を充填したコーヒードリップバッグ１００Ｘであって、掛止部材１０Ｘを特定形状にしたものが提案されている（特許文献１）。
【０００５】
この掛止部材１０Ｘは、袋本体２に貼着された中央貼着部１１と袋本体２から引き起こし可能に形成されたアーム部１３と掛止部１４を有し、掛止部１４の上部両側には略水平に伸びた一対の引っ掛け部１５が形成され、一対の引っ掛け部１５の掛止部材中央部側端部には袋本体２の上下方向に伸びた一対の折れ線Ｌｘが形成され、補強片３０にも、袋本体２の開口部３に沿った帯状部分に折れ線Ｌｙが形成されている。
【０００６】
このドリップバッグ１００Ｘによれば、使用時に、袋本体２の上端部のミシン目４で開口部３を開き、図６（ｂ）のように掛止部材１０の掛止部１４をひきおこし、図６（ｃ）のようにカップ２００に掛止することにより、容易に開口部３を大きく広げた状態でカップ２００に装着することができる。また、図６（ｄ）のように、引っ掛け部１５に形成された折れ線Ｌｘを折り曲げた状態で掛止部１４をカップ２００に掛止させることにより、あるいは、図６（ｃ）のように掛止部１４をカップ２００に掛止させた後に折れ線Ｌｘを折り曲げることにより、カップ２００の開口部壁が厚い場合でも、コーヒードリップバッグ１００Ｘをカップ２００に安定してセットすることができる。
【先行技術文献】
【特許文献】
【０００７】
【特許文献１】特許４０７９０４１号公報
【発明の概要】
【発明が解決しようとする課題】
【０００８】
しかしながら、折れ線Ｌｘを手で折り曲げない状態で掛止部をカップに掛けた場合には、カップ２００の開口部壁が厚い場合に、図６（ｃ）のようにコーヒードリップバッグ１００Ｘをカップ２００に掛止させた後、図６（ｄ）のように折れ線Ｌｘを手で折り曲げて引っ掛け部１５をカップ２００の開口部壁に載せるまでの間に、図７に矢印で示すように、掛止部１４が開口部壁からずり上がってカップ２００から外れることがあった。
【０００９】
また、近年の価格競争において、構成材料を節減したり、生産時のトラブルを低減させたりすることが求められ、上述のドリップバッグについてもより一層の低コスト化を図ることが求められている。
【００１０】
これに対し、本発明は、袋本体２の開口部３が大きく開き、かつ掛止部１４の上部の折れ線Ｌｘを手で折り曲げなくても、コーヒードリップバッグをカップ２００に掛止するだけで、開口部壁の厚いカップに対してもコーヒードリップバッグを安定して掛止することができるドリップバッグを、より低コストに提供することを目的とする。
【課題を解決するための手段】
【００１１】
本発明者は、(i)図６に示したドリップバッグ１Ｘのように、掛止部１４に引っ掛け部１５が形成されているドリップバッグにおいて、引っ掛け部下縁のアーム部側端部から引っ掛け部上縁の袋本体側縁側端部に伸びる斜め折れ線を設けると、その斜め折れ線を手で折り曲げなくても、一対の掛止部１４の下部をつまんでそれらを反対方向に引っ張り、掛止部材１０をカップに掛止させるだけで、その掛止状態が安定すること、
(ii)また、この斜め折れ線は、図６に示したドリップバッグ１Ｘのように、掛止部材１０とコ字形の補強片３０を有するものだけでなく、補強片３０のうち、袋本体２の両側縁部に沿った部分３０ａを省略した直線状の補強片を有するものにも有効であり、材料の節減を図れること、
(iii)さらに、直線状の補強片と掛止部材１０Ｘの中央貼着部１１を連続させることにより、従来の掛止部材１０Ｘと補強片３０とを一体化させた新たな掛止部材に構成すると、従来の掛止部材１０Ｘと同様に開口部３が広く開き、かつ掛止部材を構成する各部分について、他から切り離された部分がなくなるので、貼着時の位置ずれを解消でき、生産ラインでのトラブルを低減させられることを見出した。
【００１２】
即ち、本発明は、通水性濾過性シートから形成され、上端部に開口部を有する袋本体と、
袋本体の対向する２面の外表面に設けられた薄板状材料からなる掛止部材とを有するドリップバッグであって、
掛止部材が、袋本体の中央部に貼着されている中央貼着部、袋本体の開口部に沿って帯状に袋本体に貼着されている帯状貼着部、袋本体から引き起こし可能に形成されたアーム部、及び袋本体に貼着されていない掛止部を有し、
アーム部の下端が中央貼着部と連続し、アーム部の上端部が掛止部と連続し、
掛止部は、アーム部との連続部分から袋本体側縁側に延びた左右一対の引っ掛け部を有し、
各引っ掛け部は、引っ掛け部下縁のアーム部側端部から引っ掛け部上縁の袋本体側縁側端部に伸びた斜め折れ線を有するドリップバッグを提供する。
【００１３】
特に、中央貼着部を形成する薄板状材料が上方に延設されて帯状貼着部と連続し、中央貼着部の延設部分の両側にアーム部が形成されている態様を提供する。
【００１４】
また、本発明は、上述のドリップバッグの袋本体に抽出材料が充填され、袋本体の上端部が閉じられている飲料ドリップバッグを提供する。
【発明の効果】
【００１５】
本発明のドリップバッグやコーヒードリップバッグによれば、袋本体の外表面で対向する一対の掛止部の下部をつまんでそれらを反対方向に引っ張り、カップに掛止させるだけで、引っ掛け部に形成されている斜め折れ線が折れ曲がり、引っ掛け部がカップの開口部壁を横切る方向を向く。したがって、掛止部をカップに安定に掛止させるために、掛止部の上部の折れ線を手で折り曲げることが不要となり、掛止部をカップに掛止させた後、掛止部がカップの開口部壁からずり上がって外れることをなくすことができる。
【００１６】
また、本発明のドリップバッグにおいて、帯状貼着部を袋本体の開口部に沿う直線状とし、袋本体の両側縁に沿う帯状貼着部を省略した態様によれば、掛止部材を形成する薄板状材料を節減し、生産コストを低下させることができる。
【００１７】
さらに、本発明のドリップバッグにおいて、中央貼着部を形成する薄板状材料が上方に延設して帯状貼着部と連続し、その延設部分の両側にアーム部が形成された態様によれば、掛止部材を構成する各部分について、他から切り離された部分がなくなるので、貼着時の位置ずれを解消でき、生産ラインでのトラブルを低減させることができる。したがって、不良品の発生の低減によっても製造コストを低下させることが可能となる。
【図面の簡単な説明】
【００１８】
【図１】図１は実施例のドリップバッグ１Ａの平面図（ａ）及び使用状態の説明図（ｂ）、（ｃ）である。
【図２】図２は、図１のドリップバッグの製造に使用するドリップバッグ用シートの平面図である。
【図３Ａ】図３Ａは実施例のドリップバッグ１Ｂの平面図（ａ）及び使用状態の説明図（ｂ）である。
【図３Ｂ】図３Ｂは、図３Ａのドリップバッグ１Ｂの一対の掛止部材の打ち抜き方の説明図である。
【図４】図４は実施例のドリップバッグ１Ｃの平面図（ａ）及び使用状態の説明図（ｂ）である。
【図５】図５は実施例のドリップバッグ１Ｄの平面図（ａ）及び使用状態の説明図（ｂ）である。（ｃ）である。
【図６】図６は従来のコーヒードリップバッグの平面図（ａ）、使用状態の説明図（ｂ）、（ｃ）、（ｄ）である。
【図７】図７は、従来のコーヒードリップバッグにおける問題点の説明図である。
【発明を実施するための形態】
【００１９】
以下、本発明のドリップバッグ及び該ドリップバッグにコーヒー等の抽出原料を充填した飲料ドリップバッグを、図面を参照しつつ詳細に説明する。なお、各図中、同一符号は同一又は同等の構成要素を表している。
【００２０】
図１（ａ）は、本発明の飲料ドリップバッグの一形態であるコーヒードリップバッグ１００Ａの一実施例の平面図であり、図１（ｂ）、（ｃ）は、それぞれその使用状態の説明図である。
【００２１】
このコーヒードリップバッグ１００Ａに利用されているドリップバッグ１Ａは、通水性濾過性シート材料からなり、上端部に開口部を有する袋本体２と、袋本体２の対向する２面２ａ、２ｂの外表面にそれぞれ設けられた掛止部材１０Ａからなっている。
【００２２】
このようなドリップバッグ１Ａは、例えば、図２に示すように、一対の掛止部材１０Ａ（その底部側を、間隔をあけて対向させたもの）を長尺帯状の通水性濾過性シート２１に所定間隔で複数配置したドリップバッグ用シート２０を用意し、そのシート２０を長手方向の縁辺同士が重なり合うように二つ折りにし、袋本体２の幅の間隔で短手方向に溶着溶断を繰り返すことにより得ることができる。この場合の溶着溶断部が袋本体２の両側縁２ｐ、２ｑ（図１（ａ）において、横線のハッチングを付した部分）となる。また、この短手方向の溶着溶断に先立ち、長手方向の縁辺同士を溶着し、短手方向の溶着溶断を繰り返す間に、コーヒー粉を一袋分ずつ充填していくことによりコーヒードリップバッグ１００Ａを得ることができる。コーヒードリップバッグ１００Ａを製造する場合には、通水性濾過性シート２１には、予め、開封用にミシン目４を施しておいてもよい。なお、ミシン目４に代えて、易開封線として、超音波や熱などで通水性濾過性シート２１にライン状に形成した脆弱部を設けても良い。
【００２３】
袋本体２を形成する通水性濾過性シート２１としては、所定量のコーヒー粉を充填し、注湯した場合にコーヒーの浸出が可能であるものを種々使用することができる。一般に、浸出用シートとしては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙、ティーバッグ原紙等の紙類が知られており、本発明においてもこれらを使用することができるが、ドリップバッグの使用後の廃棄性の点から、通水性濾過性シート材料には生分解性繊維を含有させることが好ましい。生分解性繊維としては、ポリ乳酸、ポリブチレンサクシネート、ポリエチレンサクシネート等をあげることができる。また、ドリップ時にコーヒー粉に適度な蒸らし効果も付与できるようにするため、これらの繊維材料から通水性濾過性シートを製造するに際しては、繊維層の空隙率を調整することによりコーヒー粉に直接接することとなる層を「疎」とし、直接には接しない層を「密」とする疎密の複層構造とし、かつコーヒー粉に直接接することとなる層では疎水性繊維の含有率を高め、コーヒー粉に直接接しない層では疎水性繊維の含有率を下げることが好ましい（特許第3674486号）。
【００２４】
一方、袋本体２の表裏の矩形の外表面２ａ、２ｂにそれぞれ設けられている掛止部材１０Ａは、中央貼着部１１、帯状貼着部１２、アーム部１３及び掛止部１４からなり、板紙、プラスチックシート等の薄板状材料の打ち抜きにより形成され、所定の部位で袋本体２に貼着されている。図１の掛止部材１０Ａにおいて、細かいドットで塗りつぶした部分が、袋本体２の外表面に熱融着又は接着により貼着された部分であり、粗いドットで塗りつぶした部分が貼着されていない部分である。
【００２５】
掛止部材１０Ａを構成する中央貼着部１１、帯状貼着部１２、アーム部１３及び掛止部１４は、いずれも互いに切り離された部分とはなっておらず、連続している。そのため、掛止部材１０Ａを袋本体２に貼着するにあたり、各部の位置ずれを無くし、掛止部材１０Ａの貼着に伴う不良品の発生を低減させることができる。
【００２６】
掛止部材１０Ａを形成する薄板状材料も、ドリップバッグ１Ａの使用後の廃棄性の点から、ポリ乳酸、ポリブチレンサクシネート、ポリエチレンサクシネート等の生分解性材料から形成したものが好ましい。
【００２７】
掛止部材１０Ａの構成部分のうち帯状貼着部１２は、袋本体２の開口部３に沿って帯状
に形成された部分であり、袋本体２の上部に貼着されている。このように帯状貼着部１２を設けることにより、図１（ｃ）のようにコーヒードリップバッグ１００Ａをカップ２００にかけた場合に、袋本体２の開口部３が開いた開口形状を大きく安定化させることができる。
【００２８】
帯状貼着部１２の幅（袋本体２の幅方向の帯状貼着部１２の長さ）Ｌ１は、掛止部１４の幅Ｌ２以下とすることが好ましく、特に袋本体２の開口幅Ｌ１’の４５％〜５５％が好ましい。これにより、コーヒードリップバッグ１００Ａをカップ２００にかけた場合に、開口部３の開口形状を略正方形にし、開口部３への注湯をより一層容易にすることができ、かつ、掛止部材１０Ａの形成に必要な薄板状材料を必要最小限に抑えることができる。即ち、帯状貼着部１２をさらに広幅に形成して必要により折線を形成したり、帯状貼着部１２の両端部から下方に帯状部分を延設したりしても開口部３は広く開口するが、掛止部材１０Ａの形成に必要な薄板状材料が無用に増大し、製造コストが上昇する。
【００２９】
中央貼着部１１は、帯状貼着部１２よりも袋本体２の底部側にあって、それを形成する薄板状材料が延設されて帯状貼着部１２と連続している。中央貼着部１１は、少なくともその底部側の一部が袋本体２に貼着されていればよく、帯状貼着部１２の袋本体２との貼着領域と、中央貼着部１１の袋本体２との貼着領域とは、必ずしも連続させる必要はないが、本実施例においては、中央貼着部１１と帯状貼着部１２の貼着領域を連続させることにより、逆Ｔ字状の貼着領域が形成されている。
【００３０】
中央貼着部１１の幅については、袋本体２の開口を確実にする点から、中央貼着部１２の最大幅Ｌ３を袋本体２の開口幅Ｌ１’の１／３〜３／４程度とすることが好ましい。
【００３１】
アーム部１３は、中央貼着部１１とそれを上方に延設した部分の左右両側に一対形成されており、それぞれ中央貼着部１１の下端部と連続している。また、アーム部１３は、その下端部のみが袋本体２に貼着されており、それよりも上方では袋本体に貼着されておらず、袋本体２から引き起こし可能となっている。
【００３２】
掛止部１４は、アーム部１３の外側を囲むように、該アーム部１３に隣接して形成され、アーム部１３の上端部と連続している。掛止部１４は袋本体２に貼着されておらず、コーヒードリップバッグ１００Ａをカップ２００に掛ける際に、カップの側壁に直接引っ掛ける部分となるものであるため、この掛止部１４がアーム部１３の外側に形成されていることにより、カップ壁への掛け幅が十分に確保される。このため、コーヒードリップバッグ１００Ａをカップ２００に掛けたときに袋本体２が左右に傾かず、注湯時に開口部３を上向きに維持しておくことが可能となる。
【００３３】
掛止部１４の上端部は、アーム部１３との連続部分から袋本体側縁側に略水平に延びた左右一対の引っ掛け部１５となっている。そして、各引っ掛け部１５には、引っ掛け部下縁１５ａのアーム部側端部から引っ掛け部上縁１５ｂの袋本体側縁側端部に延びた一対の斜め折れ線Ｌａが合計２本形成されている。折れ線Ｌａは、ミシン目、折れ筋等から形成される。
【００３４】
コーヒードリップバッグ１００Ａの使用方法としては、まず、ミシン目４に沿って袋本体２の上端部を切除することにより袋本体２を開口し、図１（ｂ）に矢印Ａ方向に一対の掛止部１４の下端を引っ張ってアーム部１３と掛止部１４を引き起こす。これらをさらに大きく引き起こすと、引っ掛け部１５の斜め折れ線Ｌａが自ずと折れ曲がる。そして、図１（ｃ）に示すように、掛止部１４をカップ２００の開口部壁２０１にかけると、引っ掛け部１５がカップ２００の開口部壁２０１を横切るようにカップ２００の開口部壁２０１に載り、掛止部１４がカップ２００に掛止される。したがって、開口部壁２０１が厚くても掛止部１４が上方にずり上がることはない。
【００３５】
また、このようにコーヒードリップバッグ１００Ａをカップ２００に掛けた状態で、袋本体２の開口部３に沿って帯状貼着部１２が貼着されていることにより、開口部３は帯状貼着部１２の幅Ｌ１で開き、掛止部１４がアーム部１３を介して中央貼着部１１を外側に矢印Ｂ方向に引っ張りつつ、カップ２００を矢印Ｃのように押さえ付ける。このため、コーヒードリップバッグ１００Ａは、安定した開口状態でカップ２００に装着される。
【００３６】
こうしてコーヒードリップバッグ１００Ａをカップ２００に掛止した後、袋本体２の開口部３から注湯する。ここで、コーヒードリップバッグ１００Ａの各部の切り込み形状はシンプルであることから、消費者は、コーヒードリップバッグ１００Ａの使用時に、格別に使用説明書を読まなくても、引き起こすべき部分を一目瞭然に理解することができる。したがって、このコーヒードリップバッグ１００Ａによれば、消費者の誤使用を防止することもできる。
【００３７】
なお、以上の説明では、コーヒードリップバッグ１００Ａをミシン目４で開口した後、カップ２００に掛止する例を示したが、本発明のドリップバッグの使用方法はこれに限られず、ドリップバッグ１Ａをカップ２００にセットした後、ドリップバッグ１Ａ内にコーヒー粉を入れて注湯しても良い。
【００３８】
本発明のドリップバッグは種々の態様をとることができる。例えば、図３Ａ（ａ）のコーヒードリップバッグ１００Ｂ（ドリップバッグ１Ｂ）は、袋本体２の表裏の掛止部材１０Ｂの帯状貼着部１２の上端部に、段状の突出部１２ａを、それらが袋本体２の上端部から交互に突出するように設けたものである。この場合、一対の掛止部材１０Ｂの突出部１２ａは、互いに重ならないように突出している。このコーヒードリップバッグ１００Ｂによれば、図３Ａ（ｂ）に示すように、開封時に交互に突出している突出部１２ａを互いに引き離すことにより、袋本体２の上縁のシール部が引き剥され、開口する。したがって、容易に袋本体２を開口することが可能となる。さらに、一対の掛止部材１０Ｂの突出部１２ａは互いに重ならない形状となっているので、一枚の薄板状材料から一対の掛止部材１０Ｂを打ち抜く際に、図３Ｂに示すように、突出部１２ａ側を対向させた配置とすることにより、薄板状材料の抜きカスを最小限に抑えて無駄なく打ち抜くことができる。
【００３９】
図４のコーヒードリップバッグ１００Ｃ（ドリップバッグ１Ｃ）は、図１のコーヒードリップバッグ１００Ａの掛止部材１０Ａに対し、帯状貼着部１２の幅Ｌ１と掛止部１４の幅Ｌ２とをそろえ、また、アーム部１３の外側（袋本体２の側縁）の縁辺に隣接して共に袋本体２に貼着されている外側貼着部１６を設けたものである。図４のコーヒードリップバッグ１００Ｃの掛止部材１０Ｃのように、帯状貼着部１２の幅Ｌ１と掛止部１４の幅Ｌ２を揃え、掛止部材１０Ｃの外形を略矩形にすることにより、掛止部材１０Ｃの形成に伴う打ち抜き屑を最小限に減らすことができる。また、外側貼着部１６を設けることで、アーム部１３の基部の両側に掛止部材と通水性濾過性シートとの貼着領域が形成されるので、アーム部１３の下端部に負荷が集中しても、その近傍で通水性濾過性シートが破れることを防止することができる。さらに、外側貼着部１６を設けることで、ドリップバッグ１Ｃを開いた際に、バッグ１Ｃが角柱状に開く。そのため、図１（ｃ）に示したように、袋本体２にくびれができ、袋本体２に一度に注湯できる量が低減することを防止できる。なお、外側貼着部１６は、少なくともアーム部１３の下端部外側において、該アーム部１３と隣接して設ければよく、アーム部１３の上端部にまで延設しなくてもよい。
【００４０】
図５のコーヒードリップバッグ１００Ｄ（ドリップバッグ１Ｄ）は、アーム部１３の上部で左右一対の引っ掛け部１５が連続し、中央貼着部１１と帯状貼着部１２とが連続しておらず、帯状貼着部１２の両端部から袋本体２の側縁に沿って帯状貼着部が延びている点で図７の公知のドリップバッグと同様であるが、各引っ掛け部１５に、従来の袋本体長手方向の折れ線Ｌｘに代えて、引っ掛け部下縁のアーム部側端部から引っ掛け部上縁の袋本体側縁側端部に伸びた斜め折れ線Ｌａが形成されている点で本発明に特徴的な構成となっている。
【００４１】
このように掛止部材１０Ｄの外形は、図７の公知のドリップバッグと同様であっても、引っ掛け部１５に斜め折れ線Ｌａを設けることで、斜め折れ線Ｌａを手で折り曲げなくても、一対の掛止部１４の下部をつまんでそれらを反対方向に引っ張り、掛止部材１０Ｄをカップ２００に掛止させるだけで、その掛止状態を安定化させることができ、掛止部１４がカップ２００の開口部壁からずり上がってカップ２００から外れることを防止できる。
このコーヒードリップバッグ１００Ｄでは、掛止部材１０Ｄを、従来の掛止部材１０の製造治具を利用して、安価に掛止状態の安定化を図れる点で好ましい。
【００４２】
本発明のドリップバッグは、さらに種々の態様をとることができ、上述の変形態様は、適宜種々組み合わせることができる。
【００４３】
また、本発明のドリップバッグに充填する抽出材料としては、コーヒー粉に代えて、紅茶、緑茶、漢方薬等を使用してもよい。それにより、種々の飲料ドリップバッグを得ることができる。
【符号の説明】
【００４４】
１Ａ、１Ｂ、１Ｃ、１Ｄ、１Ｘ  ドリップバッグ
２    袋本体
２ａ、２ｂ    袋本体の外表面
２ｐ、２ｑ    側縁
３    開口部
４    ミシン目
１０Ａ、１０Ｂ、１０Ｃ、１０Ｄ、１０Ｅ、１０Ｘ  掛止部材
１１    中央貼着部
１２    帯状貼着部
１２ａ  突出部
１３    アーム部
１４    掛止部
１５    引っ掛け部
１５ａ  引っ掛け部下縁
１５ｂ  引っ掛け部上縁
１６    外側貼着部
２０    ドリップバッグ用シート
２１    通水性濾過性シート
３０    補強片
１００Ａ、１００Ｂ、１００Ｃ、１００Ｄ、１００Ｅ、１００Ｘ  コーヒードリップバッグ
２００    カップ
２０１    開口部壁
Ｌａ    斜め折れ線
Ｌｘ、Ｌｙ    折れ線
【図１】
0005640754.tif 000002
【図２】
0005640754.tif 000003
【図３Ａ】
0005640754.tif 000004
【図３Ｂ】
0005640754.tif 000005
【図４】
0005640754.tif 000006
【図５】
0005640754.tif 000007
【図６】
0005640754.tif 000008
【図７】
0005640754.tif 000009